(57)【要約】  バックスキャンが行なわれる画像化のために構成される無限焦点望遠鏡は、３ミラーアナスチグマートと、３ミラーアナスチグマートの中間像平面近くに位置決めされ、無限焦点望遠鏡の歪み特性を調整して焦点面アレイ上における像彷徨を制御するように構成された光学素子とを含む。たとえば、光学素子は視野補正レンズまたはミラーであってもよい。
2016504636.tif 000002
【特許請求の範囲】
【請求項１】
バックスキャンが行なわれる画像化のために構成された光学結像系であって、
焦点面アレイを含む結像器と、
前記結像器に光学的に結合される無限焦点望遠鏡とを含み、前記無限焦点望遠鏡は、電磁放射を受けて視準し、前記電磁放射を前記無限焦点望遠鏡の出射瞳を介して前記結像器の前記焦点面アレイに向けるように構成され、前記焦点面アレイは前記電磁放射から像を形成するように構成され、前記無限焦点望遠鏡は、前記出射瞳を通過して前記結像器に至る光軸を有し、前記光学結像系はさらに、
前記無限焦点望遠鏡および前記結像器に光学的に結合され、前記無限焦点望遠鏡の前記出射瞳近くに位置決めされ、前記電磁放射をバックスキャンして前記焦点面アレイ上における像を安定させるよう構成されたバックスキャンミラーと、
前記無限焦点望遠鏡の中間像平面近くに位置決めされ、前記無限焦点望遠鏡の歪み特性を調整して前記バックスキャン中に軸外像点に対する前記焦点面アレイ上における像彷徨を制御するように構成された光学素子とを含む、光学結像系。
【請求項２】
前記無限焦点望遠鏡は、一次ミラー、二次ミラー、三次ミラーおよび前記光学素子を含む４ミラーアナスチグマートとして構成され、
前記光学素子は、前記二次ミラーと前記三次ミラーとの間に光学的に位置決めされる視野補正ミラーである、請求項１に記載の光学結像系。
【請求項３】
前記視野補正ミラーはほぼ平坦な非球面のミラーである、請求項２に記載の光学結像系。
【請求項４】
前記一次ミラーは正の屈折力を有し、前記二次ミラーは負の屈折力を有し、前記三次ミラーは正の屈折力を有する、請求項３に記載の光学結像系。
【請求項５】
前記視野補正ミラーは変形可能ミラーであり、前記系は、前記変形可能ミラーに結合され、前記変形可能ミラーの形状を制御して前記バックスキャン中に前記像彷徨を制御するよう構成されたプロセッサをさらに含む、請求項２に記載の光学結像系。
【請求項６】
前記無限焦点望遠鏡は、一次ミラー、二次ミラーおよび三次ミラーを含む３ミラーアナスチグマートとして構成される、請求項１に記載の光学結像系。
【請求項７】
前記光学素子は視野補正レンズ群である、請求項６に記載の光学結像系。
【請求項８】
前記視野補正レンズ群は、前記無限焦点望遠鏡の光軸に関して偏心化された非球面レンズを含む、請求項７に記載の光学結像系。
【請求項９】
前記非球面レンズはセレン化亜鉛を含む、請求項８に記載の光学結像系。
【請求項１０】
前記無限焦点望遠鏡はデュアルバンド動作に対して構成され、前記視野補正レンズ群は異なる材料からなる少なくとも第１および第２のレンズ素子を含む、請求項７に記載の光学結像系。
【請求項１１】
前記無限焦点望遠鏡はＭＷＩＲおよびＬＷＩＲのスペクトル帯における動作に対して構成される、請求項１０に記載の光学結像系。
【請求項１２】
前記第１のレンズ素子はセレン化亜鉛を含む、請求項１０に記載の光学結像系。
【請求項１３】
前記第２のレンズ素子は硫化亜鉛およびゲルマニウムの１つ含む、請求項１２に記載の光学結像系。
【請求項１４】
前記一次ミラーは正の屈折力を有し、前記二次ミラーは負の屈折力を有し、前記三次ミラーは正の屈折力を有する、請求項７に記載の光学結像系。
【請求項１５】
前記無限焦点望遠鏡は、前記出射瞳が前記光軸に対して軸外である状態で構成される、請求項１に記載の光学結像系。
【請求項１６】
バックスキャンが行なわれる画像化方法であって、
電磁放射を無限焦点望遠鏡で視準し、結像器に向けて、像を形成することを含み、前記像は、前記無限焦点望遠鏡の出射瞳を通過して前記結像器に至る前記無限焦点望遠鏡の光軸を中心とされ、前記方法はさらに、
前記無限焦点望遠鏡に光学的に結合され前記無限焦点望遠鏡の前記出射瞳近くに位置決めされるバックスキャンミラーで前記電磁放射をバックスキャンして前記焦点面アレイ上における像を安定させることと、
前記無限焦点望遠鏡の歪み特性を、前記無限焦点望遠鏡の中間像平面の近くに位置決めされた光学素子で調整して、バックスキャン動作中の軸外像点に対する前記結像器の焦点面アレイ上の像彷徨を制御することとを含む、方法。
【請求項１７】
前記無限焦点望遠鏡は３ミラーアナスチグマートとして構成され、
前記無限焦点望遠鏡の前記歪み特性を調整することは、前記３ミラーアナスチグマートの中間像平面の近くに位置決めされる視野補正レンズ群を含む前記光学素子を与えることを含む、請求項１６に記載の方法。
【請求項１８】
前記無限焦点望遠鏡はデュアルバンド動作に対して構成され、前記光学素子を与えることは、異なる材料からなる少なくとも２つのレンズ素子を含む前記視野補正レンズ群を与えることを含む、請求項１７に記載の方法。
【請求項１９】
前記無限焦点望遠鏡は前記光学素子を含む４ミラーアナスチグマートとして構成され、
前記無限焦点望遠鏡の前記歪み特性を調整することは視野補正ミラーを含む前記光学素子を与えることを含む、請求項１６に記載の方法。
【請求項２０】
前記視野補正ミラーは変形可能ミラーであり、前記無限焦点望遠鏡の前記歪み特性を調整することは、プロセッサで、前記変形可能ミラーの形状を制御することを含む、請求項１９に記載の方法。
【請求項２１】
バックスキャンが行なわれる画像化のために構成される光学結像系であって、
焦点面アレイを含む結像器と、
前記結像器に光学的に結合される無限焦点望遠鏡とを含み、前記無限焦点望遠鏡は、電磁放射を受けて視準し、前記電磁放射を前記無限焦点望遠鏡の出射瞳を介して前記結像器の前記焦点面アレイに向けるように構成され、前記焦点面アレイは前記電磁放射から像を形成するように構成され、前記無限焦点望遠鏡は、前記出射瞳を通過して前記結像器に至る光軸を有し、前記光学結像系はさらに、
前記無限焦点望遠鏡および前記結像器に光学的に結合され、前記無限焦点望遠鏡の前記出射瞳近くに位置決めされ、前記電磁放射をバックスキャンして前記焦点面アレイ上における像を安定させるよう構成されたバックスキャンミラーと、
前記無限焦点望遠鏡の歪み特性を調整して前記バックスキャン中に軸外像点に対する前記焦点面アレイ上における像彷徨を制御するための手段とを含む、光学結像系。
【請求項２２】
前記調整して制御するための手段は、前記無限焦点望遠鏡の中間像平面の近くに位置決めされる、視野補正レンズ群および視野補正ミラーの１つを含む、請求項２１に記載の光学結像系。
【発明の詳細な説明】
【背景技術】
【０００１】
背景
スキャンされる二次元の（２Ｄ）結像センサのための積分時間を増大するために、バックスキャンの技術をしばしば用いてステップ／ステア範囲を与える。図１Ａ〜図１Ｃは、この概念を示す。センサシステムでは、無限焦点望遠鏡１１０は、入来する電磁放射１２０を受け、その放射を結像光学素子１３０を介して結像センサに向けるように構成されるが、それは頻繁には焦点面アレイ（ＦＰＡ）１４０である。センサシステムの移動はＦＰＡ１４０によって得られる像のぼけを引起す。ミラー１５０が無限焦点望遠鏡１１０の背後にあるバックスキャンは、センサシステムの移動を少なくとも部分的に補償することによって、ＦＰＡ１４０のための積分時間を増大する機敏な方法を与える。具体的には、センサシステムが移動すると、バックスキャンミラー１５０は、像を積分時間中においてＦＰＡ１４０上に安定した状態に保持しようとする。これは図１Ｃに示され、それは、露光中においてバックスキャンされた動き１８０の結果として、ＦＰＡの視野１６０が無限焦点望遠鏡１１０の視野角１７０内において移動するのを示す。したがって、より小さいバックスキャンミラー１５０がステップ／ステア機能を実現するよう高速の動きを与える一方で、より大きなセンサシステムは公称速度でスキャンされてもよい。
【発明の概要】
【課題を解決するための手段】
【０００２】
局面および実施の形態は、バックスキャン結像中に像ボケを緩和する、歪み特性が制御された無限焦点望遠鏡構成に向けられる。ある局面によると、非球面の光学素子を望遠鏡の中間像平面の近くに導入することにより、望遠鏡の歪みを調整して、像ぼけを緩和する。より詳細に以下に論じられるように、一実施の形態は４ミラーアナスチグマートを含み、他の実施の形態は、視野補正器レンズを伴う３ミラーアナスチグマートを含む。
【０００３】
一実施の形態によれば、バックスキャンが行なわれる画像化のために構成される光学結像系は、焦点面アレイを含む結像器と、結像器に光学的に結合される無限焦点望遠鏡とを含み、無限焦点望遠鏡は、電磁放射を受けて視準し、電磁放射を無限焦点望遠鏡の出射瞳を介して結像器の焦点面アレイに向けるように構成され、焦点面アレイは電磁放射から像を形成するように構成され、無限焦点望遠鏡は、出射瞳を通過して結像器に至る光軸を有し、光学結像系はさらに、無限焦点望遠鏡および結像器に光学的に結合され、無限焦点望遠鏡の出射瞳近くに位置決めされ、電磁放射をバックスキャンして焦点面アレイ上における像を安定させるよう構成されたバックスキャンミラーと、無限焦点望遠鏡の中間像平面近くに位置決めされ、無限焦点望遠鏡の歪み特性を調整してバックスキャン中に軸外像点に対する焦点面アレイ上における像彷徨を制御するように構成された光学素子とを含む。
【０００４】
一例では、無限焦点望遠鏡は、一次ミラー、二次ミラー、三次ミラーおよび光学素子を含む４ミラーアナスチグマートとして構成され、光学素子は、二次ミラーと三次ミラーとの間に光学的に位置決めされる視野補正ミラーである。たとえば、視野補正ミラーはほぼ平坦な非球面のミラーであってもよい。一例では、一次ミラーは正の屈折力を有し、二次ミラーは負の屈折力を有し、三次ミラーは正の屈折力を有する。他の例では、視野補正ミラーは変形可能ミラーであり、光学結像系は、変形可能ミラーに結合され、変形可能ミラーの形状を制御してバックスキャン中に像彷徨を制御するよう構成されたプロセッサをさらに含む。他の例では、無限焦点望遠鏡は、一次ミラー、二次ミラーおよび三次ミラーを含む３ミラーアナスチグマートとして構成される。この例では、光学素子は視野補正レンズ群であってもよい。視野補正レンズ群は、無限焦点望遠鏡の光軸に関して偏心化された非球面レンズを含んでもよい。非球面レンズはセレン化亜鉛を含んでもよい。一例では、無限焦点望遠鏡はデュアルバンド動作に対して構成され、視野補正レンズ群は異なる材料からなる少なくとも第１および第２のレンズ素子を含む。無限焦点望遠鏡はたとえばＭＷＩＲおよびＬＷＩＲのスペクトル帯における動作に対して構成されてもよい。一例では、第１のレンズ素子はセレン化亜鉛を含み、第２のレンズ素子は硫化亜鉛またはゲルマニウムを含む。無限焦点望遠鏡は、出射瞳が光軸に対して軸外である状態で構成されてもよい。
【０００５】
他の実施の形態によれば、バックスキャンが行なわれる画像化方法は、電磁放射を無限焦点望遠鏡で視準し、結像器に向けて、像を形成することを含み、像は、無限焦点望遠鏡の出射瞳を通過して結像器に至る無限焦点望遠鏡の光軸を中心とされ、方法はさらに、無限焦点望遠鏡に光学的に結合され無限焦点望遠鏡の出射瞳近くに位置決めされるバックスキャンミラーで電磁放射をバックスキャンして焦点面アレイ上における像を安定させることと、無限焦点望遠鏡の歪み特性を、無限焦点望遠鏡の中間像平面の近くに位置決めされた光学素子で調整して、バックスキャン動作中の軸外像点に対する結像器の焦点面アレイ上の像彷徨を制御することとを含む。
【０００６】
一例では、無限焦点望遠鏡は３ミラーアナスチグマートとして構成され、無限焦点望遠鏡の歪み特性を調整することは、３ミラーアナスチグマートの中間像平面の近くに位置決めされる視野補正レンズ群を含む光学素子を与えることを含む。無限焦点望遠鏡はデュアルバンド動作に対して構成されてもよく、光学素子を与えることは、異なる材料からなる少なくとも２つのレンズ素子を含む視野補正レンズ群を与えることを含んでもよい。無限焦点望遠鏡が光学素子を含む４ミラーアナスチグマートとして構成される他の例では、無限焦点望遠鏡の歪み特性を調整することは視野補正ミラーを含む光学素子を与えることを含む。視野補正ミラーは変形可能ミラーであってもよく、無限焦点望遠鏡の歪み特性を調整することは、プロセッサで、変形可能ミラーの形状を制御することを含んでもよい。
【０００７】
他の実施の形態によれば、バックスキャンが行なわれる画像化のために構成される光学結像系は、焦点面アレイを含む結像器と、結像器に光学的に結合される無限焦点望遠鏡とを含み、無限焦点望遠鏡は、電磁放射を受けて視準し、電磁放射を無限焦点望遠鏡の出射瞳を介して結像器の焦点面アレイに向けるように構成され、焦点面アレイは電磁放射から像を形成するように構成され、無限焦点望遠鏡は、出射瞳を通過して結像器に至る光軸を有し、光学結像系はさらに、無限焦点望遠鏡および結像器に光学的に結合され、無限焦点望遠鏡の出射瞳近くに位置決めされ、電磁放射をバックスキャンして焦点面アレイ上における像を安定させるよう構成されたバックスキャンミラーと、無限焦点望遠鏡の歪み特性を調整してバックスキャン中に軸外像点に対する焦点面アレイ上における像彷徨を制御するための手段とを含む。
【０００８】
一例では、調整して制御するための手段は、無限焦点望遠鏡の中間像平面の近くに位置決めされる、視野補正レンズ群および視野補正ミラーの１つを含む。
【０００９】
これらの例示的な局面および実施の形態の、さらなる他の局面、実施の形態および利点が、詳細に以下に論じられる。ここに開示される実施の形態は、ここに開示される原理の少なくとも１つと整合する任意の態様で他の実施の形態と組み合わせられてもよく、「実施の形態」、「ある実施の形態」、「代替的な実施の形態」、「さまざまな実施の形態」および「一実施の形態」などへの言及は、必ずしも相互排除的ではなく、記載された特定の特徴、構造または特性が少なくとも一実施の形態において含まれてもよいことを示すことが意図される。そのような用語の出現はここにおいては必ずしもすべてが同じ実施の形態に言及してはいない。
【００１０】
図面の簡単な説明
少なくとも一実施の形態のさまざまな局面が、尺度決めされるようには意図されない添付の図を参照して以下に論じられる。図は説明ならびにさまざまな局面および実施の形態のさらなる理解を与えるように含まれ、この明細書に組込まれ、この明細書の一部を構成するが、この発明の限定の定義として意図されるものではない。図では、さまざまな図において示される各同一またはほとんど同一の構成要素は、同様の番号によって表される。明瞭にするため、すべての構成要素がすべての図において符号付けられるとは限らない。
【図面の簡単な説明】
【００１１】
【図１Ａ】無限焦点望遠鏡およびバックスキャンミラーを含むステップ／ステアセンサ構成の一例の概略図である。
【図１Ｂ】図１Ａのシステムに適用されるバックスキャンの技術を示す概略図である。
【図１Ｃ】図１Ａおよび図１Ｂのシステムのための無限焦点望遠鏡の視野角内においてＦＰＡの視野のバックスキャンされた動きを示す概略図である。
【図２】物空間におけるセンサの視野の例を示す図である。
【図３】物空間におけるＩＲＳＴセンサの視野の例を示す図である。
【図４】複数個の視野点を示す図３のＩＲＳＴセンサの視野の図である。
【図５】理想的な６Ｘ倍率無限焦点望遠鏡に対する図４の視野点に対する像点彷徨を示すグラフである。
【図６】理想的な４Ｘ倍率無限焦点望遠鏡に対する図４の視野点に対する像点彷徨を示すグラフである。
【図７】３ミラーアナスチグマートを含む無限焦点望遠鏡の一例のレイトレースである。
【図８】図４の視野点および図７の無限焦点望遠鏡に対する像点彷徨を示すグラフである。
【図９】代替的な理想的な４Ｘ倍率無限焦点望遠鏡の他の例に対する図４の視野点に対して画素で測定された像点彷徨を示すグラフである。
【図１０】この発明の局面に従って４ミラーアナスチグマートを含む無限焦点望遠鏡の一例のレイトレースである。
【図１１】この発明の局面に従う図１０の無限焦点望遠鏡の一例のための光学的規定を与える表である。
【図１２】図１０の無限焦点望遠鏡の例に対して図４の視野点の画素で測定された像点彷徨を示すグラフである。
【図１３】図１０の無限焦点望遠鏡の例の歪み特性を示す図である。
【図１４】この発明の局面に従って３ミラーアナスチグマートおよび視野補正器レンズを含む無限焦点望遠鏡の他の例のレイトレースである。
【図１５】この発明の局面に従う図１４の無限焦点望遠鏡の一例のための光学的規定を与える表である。
【図１６Ａ】図１４の無限焦点望遠鏡の例および４．３７５μｍの波長に対する図４の視野点の画素で測定された像点彷徨を示すグラフである。
【図１６Ｂ】図１４の無限焦点望遠鏡の例および９μｍの波長に対する図４の視野点の画素で測定された像点彷徨を示すグラフである。
【図１７】図１４の無限焦点望遠鏡の例の歪み特性を示す図である。
【発明を実施するための形態】
【００１２】
詳細な記載
無限焦点望遠鏡の背後に位置決めされたバックスキャンミラーを含むステップ／ステア走査系の文脈では、像ぼけが露光／積分時間中において軸外視野点に対して生じる場合がある。再び図１Ｃを参照して、バックスキャンミラーは１つの視野点１９０を焦点面アレイ（ＦＰＡ）上において相対的に安定して保持することが可能であるが、すべて他の視野点は、無限焦点望遠鏡の結像歪み特性のため、露光中に彷徨するかもしれない。ステップ／ステアシステムは広く用いられるが、軸外視野点彷徨（ここでは像彷徨と呼ばれる）による像ぼけのこの問題は、十分に認識されていない。以下に説明されるように、像彷徨の影響は、無限焦点倍率、視野角（ＦＯＶ）、およびＦＰＡの画素数が増大するにつれ、より著しくなる。以下に論じられるある局面および実施の形態によると、ぼけは、無限焦点望遠鏡において中間像の近くに光学素子を導入して望遠鏡の歪み特性を調整することによって緩和されてもよい。一実施の形態では、視野レンズ群を３ミラーアナスチグマート内に導入して補正を与える。他の実施の形態では、無限焦点望遠鏡は、彷徨による像ぼけの問題に対処するよう十分な自由度を有する４ミラーアナスチグマートとして構成される。
【００１３】
ここに論じられる方法および装置の実施の形態は、適用において、以下の記載に述べられるかまたは添付の図面に示される構築の詳細および構成要素の配置に限定されないことが理解される。方法および装置は、他の実施の形態における実現、およびさまざまな態様における実施または実行が可能である。具体的な実現例は、例示の目的のみのためにここに与えられ、限定するようには意図されない。さらに、ここに用いられる語法および用語は、記載の目的のためであり、限定するように見なされるべきでない。ここにおける「含む」、「備える」、「有する」、「含有する」、「伴う」およびその変形の使用は、その後列挙される項目およびそれらの等価物ならびにさらなる項目を包含するよう意味される。「または」への言及は包含的なものとして解釈され得、「または」を使用して記載されるいかなる用語も、その記載された用語の１つ、２つ以上、およびすべてのいずれをも示し得る。
【００１４】
無限焦点望遠鏡は、一般に、望遠鏡に入る光線（θｉ）と望遠鏡を出る光線（θｏ）との間の角度的関係が以下の等式を満たすことに基いてゼロ歪みを有するよう最適化される：
ｔａｎ（θｉ）＝Ｍ  ｔａｎ（θｏ）  （１）
等式（１）において、Ｍは望遠鏡の倍率である。等式（１）の関係は歪みがない像（たとえば線に対する線像）を保証する。しかしながら、バックスキャンミラーが無限焦点望遠鏡の背後に配置されると、この関係は露光中に軸外視野点に対して像彷徨またはぼけを導入する。ぼけの量および有意性は、無限焦点望遠鏡の倍率、視野角、および視野にわたる（ＦＰＡの上の）ピクセル数に依存する。結像歪曲収差もさらなる像ぼけを導入するかもしれない。バックスキャンを実現しないシステムに関しては、無限焦点望遠鏡の結像歪みは、典型的には像質とは別個の問題であることが理解される。たとえば、像は鮮鋭であるかもしれないが、歪んでいるように見えるかもしれない。たとえば、軸上レンズ系は典型的には対称的な糸巻き形歪曲または樽形歪曲を示す。軸外瞳またはオフセット視野を伴って設計される無限焦点望遠鏡は、より複雑な歪み関数を有するかもしれない。
【００１５】
図２を参照して、物空間におけるセンサシステムの視野の概略図が示される。無限焦点望遠鏡の視野２１０は（矢印２２０によって表されるように）スキャンされ、一方で、バックスキャンが行なわれるミラー１５０は移動して、ＦＰＡの視野２３０を積分時間（露光時間とも呼ばれる）中に固定された状態で保持する。図２は視野２３０の角部における点対象２４０を示す。点目標２４０は、バックスキャン動作中に望遠鏡の視野２１０を有効に掃引する。無限焦点望遠鏡１１０によって導入される結像歪みの性質によって、点目標２４０は積分時間中にＦＰＡ上を彷徨し、その結果ぼけを引起す。
【００１６】
像彷徨の問題をさらに説明するために、以下の例は、赤外線探索および追跡（ＩＲＳＴ）センサの場合を考える。図３は、物空間における例示的なＩＲＳＴセンサの視野３１０の例を示す。図４は、（頂部左、頂部、頂部右、左、軸上、右、底部左、底部、および底部右と表示される）複数個の視野点の場所を示す視野３１０の対応する例示である。この例では、焦点面アレイは高解像度型であり（垂直１２８０画素（３１５）×水平７２０画素（３２５））、公称視野は、水平１．４°（３３５）×垂直２．５°（３３０）である。無限焦点望遠鏡は、ＩＲＳＴ視野３１０がバックスキャンされる、より大きな視野３４０を有する。示された例では、方位バックスキャン３５０は、±０．５５度、または方位視野の±３９％であり、２８０画素（３５５）に対応する。
【００１７】
一般に、バックスキャンミラーは、視野３１０の中心点を露光中において固定される状態で保持するよう構成される。その結果、歪みは像の角部において最も大きい。図３および図４において示される例の上記の所与の値に対しては、ＩＲＳＴフレーム３１０の中心（軸上視野点）から角部までの半径は、７３４画素である。図３のそれなどの高解像度アレイは結像歪みに対して厳しい制御を必要とする。像の角部３６０での単一画素シフトは、半径においてわずか０．１４％の変更を表す。同様に、像回転による単一画素シフトは、わずか１．４ミリラジアン（ミリラド）の回転によって導入される。
【００１８】
図５および図６は、像が等式（１）から与えられる理想的な歪みなしの結像関係で無限焦点望遠鏡の視野を通してバックスキャンされる際の視野点のＦＰＡ視野３１０上におけるそれらの公称位置についてのシミュレーションされた彷徨を示す。像の縁部での視野点に対しての像彷徨の量は、複数の画素である。図５は、歪みのない「理想的な」６Ｘ倍率無限焦点望遠鏡に対してグラフ化された（図４の視野点に対する）公称位置についての像点彷徨を示す。この例では、バックスキャンは物空間において±０．５°である。線上の各点は０．２５°のバックスキャン増分またはステップを表す。ＦＰＡは１２８０×７２０画素である。図６は、歪みのない「理想的な」４Ｘ倍率無限焦点望遠鏡に対してグラフ化された（図４の視野点に対する）公称位置についての像点彷徨を示す。この例では、バックスキャンは、物空間において再び±０．５°であり、線上の各点は０．２５°のバックスキャンステップを表す。ＦＰＡは１２８０×７２０画素である。図５および図７を比較すると（および縮尺変更に注意すると）、像彷徨の量はより高い無限焦点倍率に対してより大きいこと、および関係は倍率と線形ではないことが示される。
【００１９】
図５および図６は、「理想的な」歪みなしの無限焦点望遠鏡の例に対するシミュレーションされた像点彷徨を示す。しかしながら、上に論じられるように、実用的な無限焦点望遠鏡設計は、像彷徨をより悪くまたはよりよく形成し得る正（糸巻き形）または負（樽形）の歪みを有し得る。図７は、公称２．４°×１．３５°の視野を伴うＩＲＳＴシステムに対して設計された軸外瞳を伴う無限焦点望遠鏡の例のレイトレースである。この例では、無限焦点望遠鏡は、一次ミラー７１０、二次ミラー７１２および三次ミラー７１４から構成された３ミラーアナスチグマートを含む。入来する電磁放射１２０はスキャンミラー７２０によって３ミラーアナスチグマートに向けられる。無限焦点望遠鏡はさらにクーデ式の光路折り返しミラー７３０を含む。バックスキャン光学素子が、矢印７４０によって識別された場所に位置してもよく、それは、無限焦点望遠鏡の出射瞳に、またはその瞳近くにあってもよい。この例では、無限焦点望遠鏡は、約５インチの入射瞳直径および４Ｘ倍率を有する。この例示３ミラーアナスチグマートは相対的に小さく、正の（糸巻き系）歪曲を有する。
【００２０】
図８は、図４の視野点および公称ＩＲＳＴセンサ視野３１０を用いてシミュレーションされた、図７の例示無限焦点望遠鏡に対する像点彷徨を示す。図８は、物空間における±０．５°バックスキャンに対する像彷徨を示す。線に沿った点間のバックスキャン増分は０．１°である。ＦＰＡは１２８０×７２０画素である。図８と図６との比較によって理解され得るように、図７の無限焦点３ミラーアナスチグマートに対する像彷徨の量は、ゼロの歪みの４Ｘの理想的な望遠鏡に対するそれより著しく大きい。図８に示されるように、露光中の像彷徨はいくつかの画素であり、ある例では、図７の望遠鏡が与えるかもしれない点広がり関数より何倍も大きい。
【００２１】
無限焦点望遠鏡に対する代替的な像マッピング関係が以下の等式から与えられる：
θｉ＝Ｍθｏ（２）
この構成は、単一の軸に沿った視野点に対する像彷徨を最小限にしてもよい。たとえば、等式（２）の像マッピング関係に従って設計された無限焦点望遠鏡は、スキャン方向に沿った（たとえば図３における水平軸に沿った）像点に対する像彷徨を導入しない。図９は、等式（２）の像マッピング関係を利用する４Ｘ倍率無限焦点望遠鏡、および図４の視野点に対する、シミュレーションされた像点彷徨を示す。図９は、物空間における−０．５°〜＋０．５°のシミュレーションされたバックスキャンに対する結果を呈示する。図９において理解され得るように、Ｘ軸（スキャン方向）より上および下の軸外像点は、ほとんど全体的に垂直方向に彷徨する。加えて、像彷徨はいくつかの視野点に対しては複数の画素である。
【００２２】
局面および実施の形態によると、バックスキャン中の像彷徨の問題は、無限焦点望遠鏡の結像歪みを最適化して、複数の視野点における、および複数の構成にわたる、像彷徨の影響を最小限にすることによって緩和されてもよい。これは、無限焦点設計において中間像の近くに光学素子を挿入して結像歪みを調整することによって達成されてもよい。この方策は反射型または屈折型の無限焦点望遠鏡を含む任意の無限焦点設計に対して実現されてもよい。
【００２３】
一実施の形態によると、３ミラーアナスチグマートは、第４のミラーを中間像位置の近くに挿入し、たとえばすべての４つのミラーのサイズ、位置、屈折力、および／または表面特性を含む光学形式を再最適化することによって、４ミラーアナスチグマートとして再構成される。結果として生じる４ミラーアナスチグマートは、望遠鏡の結像歪み特性を制御して、像彷徨の像を滲ませる作用を十分に低減するように構成されてもよい。
【００２４】
図１０を参照して、一実施の形態に従って４ミラーアナスチグマートを含む無限焦点望遠鏡の一例のレイトレースが示される。この例では、望遠鏡１０００は、一次ミラー１０１０、二次ミラー１０２０および三次ミラー１０３０を含む。ともに、一次、二次および三次ミラーは入射瞳１０５０を介して電磁放射１２０を受け、その放射をバックスキャンミラー１５０（図１Ａおよび１Ｂを参照）に向けるが、それは、典型的には無限焦点望遠鏡の出射瞳１０６０に、またはその近くに位置決めされる。示された例では、一次ミラー１０１０は正の屈折力を有するミラーであり、二次ミラー１０２０は負の屈折力を有するミラーであり、三次ミラー１０３０は正の屈折力を有するミラーである。視野補正ミラー１０４０は、３ミラーアナスチグマートの中間像平面に、またはその近くに位置決めされ、それによって、４ミラーアナスチグマートを形成する。一実施の形態において、視野補正ミラー１０４０はほぼ平坦な非球面ミラーである。視野補正ミラー１０４０の厳密な形状は、数値最適化手順を用いて像彷徨を最小限にするように判断されてもよい。一例では、４ミラーアナスチグマートは、バックスキャン中に像ぼけを低減するように具体的に設計された、９インチ鏡径、４．５Ｘ倍率および３．５°円形視野を有する。
【００２５】
図１１は、図１０の無限焦点望遠鏡のこの例に対する光学的規定を与える。この光学的規定は下の等式（３）を用いて生成されてもよく、それは業界標準であり、当業者には公知であろう。図１１において与えられる規定は単に例示的であること、および無限焦点望遠鏡１０００のさまざまな実施の形態の規定は光学系によって実行される意図されるタスクによって判断されることが理解される。図１１では、距離、オフセットおよび傾斜は、系の公称の光軸に関してである。
【００２６】
【数１】
2016504636.tif 000003
【００２７】
図１２は、図１０において示され、図１１の規定に対応する例示的な４ミラーアナスチグマートに対する焦点面アレイ上における像彷徨を示す。図１２において示される結果を生じさせるために、物空間における±０．５°バックスキャンが０度の系横揺れ角でシミュレーションされた。線に沿った点間の分離は０．１°である。図１２および図６を参照して理解され得るように、図１０の４ミラー無限焦点望遠鏡１０００は、バックスキャン動作中において像点彷徨における有意な低減を与える。この４．５Ｘ望遠鏡に対する像彷徨は、図６において示されるゼロ歪みの「理想的な」４Ｘ望遠鏡に対する像彷徨より小さい。
【００２８】
図１３は、物空間における（図１０および表１の望遠鏡に対応する）４ミラーアナスチグマートの結像歪みを示す。図１３では、正方形の２．５°視野が示される。像彷徨を補正するために導入される歪みは相対的に小さい。結果として生じる歪みはわずかに負である（樽形歪曲）。図１３は、バックスキャン動作中に像彷徨を抑制するための所望の歪みは、わずかに負であり、「理想的な」歪みなしの結像例から逸脱することを示す。しかしながら、歪みの量は非常に少なく、結像適用例においてでさえ概して異議がないであろうことが十分に理解される。
【００２９】
一実施の形態によると、視野補正ミラー１０４０は調整可能または変形可能ミラーであってもよい。当業者には公知であるように、変形可能ミラーの形状はミラーの特性を変更するために計算機制御下で調整されてもよい。したがって、光学系は、概してここではプロセッサと呼ばれる計算装置を含むかまたはそれに結合されてもよく、それは、変形可能ミラーとインターフェイスしそれを制御することが可能である任意のタイプのプロセッサ、コンピュータまたは他の演算／処理装置であってもよい。プロセッサは、変形可能ミラーの形状を調整して、上に論じられるように、無限焦点望遠鏡の歪み特性を変更しバックスキャン動作中に軸外視野点に対する像彷徨を制御するよう構成されてもよい。視野補正ミラー１０４０に対する変形可能ミラーの使用は、ミラーの形状がプロセッサによって制御されて、無限焦点望遠鏡の歪み特性を異なる条件下で可変に調整し、および／またはより微細な像彷徨の制御を与えることができる点において、有利であってもよい。
【００３０】
いくつかの適用例では、４ミラーアナスチグマートと関連付けられるパッケージングは望ましくないかもしれないし便利ではないかもしれない。他の実施の形態によると、像彷徨は、望遠鏡の歪み特性を調整するために３ミラーアナスチグマートの中間像平面に、またはその近くに挿入される視野レンズ群を用いることによって、緩和されてもよい。この構成は、上に論じられた４ミラー構成に対して、よりコンパクトなパッケージに収容されてもよく、したがって、空間が限定される適用例において好まれてもよい。
【００３１】
図１４を参照して、３ミラーアナスチグマートおよび視野補正レンズ群を含む無限焦点望遠鏡１４００の一例のレイトレースが示される。３ミラーアナスチグマートは、一次ミラー１４１０、二次ミラー１４２０および三次ミラー１４３０から構成される。一例では、一次ミラー１４１０は正の屈折力を有するミラーであり、二次ミラー１４２０は負の屈折力を有するミラーであり、三次ミラー１４３０は正の屈折力を有するミラーである。３ミラーアナスチグマートは、入射電磁放射１２０を入射瞳１４５０を介して受け、中間像を形成し、電磁放射／中間像を再結像および視準し、それを、無限焦点望遠鏡１４００の出射瞳１４６０に、またはその近くに位置決めされてもよいバックスキャンミラー１５０に向けるように構成される。図１４において示されるように、視野補正レンズ群１４４０は中間像平面の近くに位置決めされる。一例において、視野補正レンズ群１４４０は、３ミラーアナスチグマートの光軸に関して軸外に位置決めされた（偏心化された）非球面レンズを含む。視野補正レンズ群１４４０は、低分散材料から形成された１つ以上のレンズを含んでもよい。一例において、視野補正レンズ群１１４０は、セレン化亜鉛（ＺｎＳｅ）から形成された少なくとも１つのレンズを含む。
【００３２】
いくつかの実施の形態によると、無限焦点望遠鏡１４００はデュアルバンド動作に対して構成されてもよい。たとえば、無限焦点望遠鏡１４００は、中波赤外線（ＭＷＩＲ）スペクトル帯（約３μｍから５μｍの範囲における波長）、および長波長赤外線（ＬＷＩＲ）帯（約８μｍから１２μｍの範囲における波長）に対して構成されてもよい。したがって、視野補正レンズ群１４４０は、ＭＷＩＲおよびＬＷＩＲの両方のスペクトル帯において低い分散を有する、たとえばＺｎＳｅなどの材料から形成された１つ以上のレンズを含んでもよい。デュアルバンド構成の他の例では、視野補正レンズ群１４４０は、ＺｎＳｅ（セレン化亜鉛）およびＺｎＳ（硫化亜鉛）またはＺｎＳｅおよびＧｅ（ゲルマニウム）などの異なる材料からなる２つ以上のレンズ素子を含んでもよい。いくつかの例では、視野補正レンズ群１４４０に対して、多くのレーザシステムの波長である約１μｍの波長において動作可能な材料を選択することが好ましくてもよい。
【００３３】
図１５は、図１３の無限焦点望遠鏡の一例に対する光学的規定を与える。光学的規定は等式（３）を用いて生成されてもよい。しかしながら、図１５において与えられる規定は単に例示的であること、および無限焦点望遠鏡１４００のさまざまな実施の形態の規定は光学系によって実行されるタスクによって判断されることが理解される。この例では、無限焦点望遠鏡は、９インチ鏡径、４．５Ｘ倍率および公称３．５°視野を有する。光学設計は、物空間において±０．５°のバックスキャンに対する像彷徨を最小限にするように最適化される。
【００３４】
図１６Ａおよび図１６Ｂは、図１４において示され図１５の光学的規定に対応する視野レンズ補正器を伴う３ミラーアナスチグマートに対する焦点面アレイ上における像彷徨を示す。結果は、図４の視野点およびＦＰＡ視野に対して呈示される。図１６Ａは、ＭＷＩＲ帯（４．３７５μｍの中心波長）に対するＦＰＡ上の点光源像彷徨を示し、図１６Ｂは、ＬＷＩＲ帯（９μｍの中心波長）に対するＦＰＡ上の点光源像彷徨を示す。図１６Ａおよび図１６Ｂの両方に対して、物空間における±０．５°バックスキャンがシミュレーションされた。線に沿った点間の分離は０．１°である。図１６Ａおよび図１６Ｂのグラフは、０°のセンサ横揺れ条件に対するものであり、結果は、たとえば３０°などの、系の有意な横揺れ角に対しては、わずかにより悪くなり得る。図１６Ａ、図１６Ｂおよび図６を参照して理解され得るように、像彷徨の量は著しく低減される。加えて、図１６Ａおよび図１６Ｂを参照して、２つの帯域に対する結果はほとんど同一であり、それは非常に弱い視野レンズ１３４０がＭＷＩＲ帯およびＬＷＩＲ帯において色収差をほとんど導入しないことを示す。
【００３５】
図１７は、図１５において与えられる光学的規定での図１４の無限焦点望遠鏡の歪み特性を示す。上に論じられた４ミラー望遠鏡の実施の形態でのように、歪みは低く、負（樽形歪曲）である。図１７では、正方形２．５°視野が示される。
【００３６】
したがって、局面および実施の形態は、バックスキャンが行なわれる系に対する無限焦点望遠鏡設計は焦点面アレイ上における像彷徨を最小限にするように最適化されてもよいことを示す。理想的な歪みなしの望遠鏡が著しい像彷徨を示す場合があるので、歪みを単に最小限にすることは十分ではない。ある実施の形態では、上に呈示されるように、所望の歪みはわずかに負である。ある実施の形態は、像の滲みを各々が緩和する２つの異なる無限焦点設計形式、特に、最適化された４ミラーアナスチグマート形式、および視野補正レンズ群を組込む３ミラーアナスチグマート形式に向けられる。
【００３７】
少なくとも一実施の形態のいくつかの局面を上に記載したが、さまざまな変更、修正および改良が当業者には容易に想起されることが理解される。そのような変更、修正および改良は、この開示の一部であるように意図され、この発明の範囲内にあるように意図される。したがって、前述の記載および図面は例示のみによるものであり、この発明の範囲は特許請求の範囲の適切な構築およびそれらの等価物から判断されるべきである。
【図１Ａ】
2016504636.tif 000004
【図１Ｂ】
2016504636.tif 000005
【図１Ｃ】
2016504636.tif 000006
【図２】
2016504636.tif 000007
【図３】
2016504636.tif 000008
【図４】
2016504636.tif 000009
【図５】
2016504636.tif 000010
【図６】
2016504636.tif 000011
【図７】
2016504636.tif 000012
【図８】
2016504636.tif 000013
【図９】
2016504636.tif 000014
【図１０】
2016504636.tif 000015
【図１１】
2016504636.tif 000016
【図１２】
2016504636.tif 000017
【図１３】
2016504636.tif 000018
【図１４】
2016504636.tif 000019
【図１５】
2016504636.tif 000020
【図１６Ａ】
2016504636.tif 000021
【図１６Ｂ】
2016504636.tif 000022
【図１７】
2016504636.tif 000023
【国際調査報告】
2016504636.tif 000024
2016504636.tif 000025
2016504636.tif 000026